(57)【要約】【課題】背板を介して壁面に取り付けられる家具の壁取付け構造を提供する。【解決手段】背板４ａの正面側に側板２ａを取り付ける板材取付け具が、ジョイントピン１１と、このジョイントピン１１の先端頭部１１ｃに係合して、回転操作により当該ジョイントピン１１を引き込む回転ジョイント金具２３とから成り、ジョイントピン１１は、背板４ａの正面側に突設され、側板２ａには、その側面に、回転ジョイント金具２３が回転自在に嵌合する回転ジョイント金具嵌合孔２２と、背板４ａに当接する端面から回転ジョイント金具嵌合孔２２に至るジョイントピン挿入孔２０が設けられた家具の壁取付け構造において、ジョイントピン１１は、背板４ａと壁面１６ａとの間に挟まれた状態で壁面１６ａに取付けネジ１９により固定される取付け用基板１０から突設されて、背板４ａに設けられた貫通孔１３を通って背板４ａの正面側に突出する。【選択図】図１０
2017136277.tif 000002
【特許請求の範囲】
【請求項１】
壁面に取り付けられる背板と、この背板の正面側に板材取付け具を介して取り付けられる板材を備え、前記板材取付け具が、ジョイントピンと、このジョイントピンの先端頭部に係合して、回転操作により当該ジョイントピンを引き込む回転ジョイント金具とから成り、前記ジョイントピンは、前記背板の正面側に突設され、前記板材には、その側面に、回転ジョイント金具が回転自在に嵌合する回転ジョイント金具嵌合孔と、前記背板に当接する端面から前記回転ジョイント金具嵌合孔に至るジョイントピン挿入孔が設けられた家具の壁取付け構造において、前記ジョイントピンは、前記背板と壁面との間に挟まれた状態で壁面に取付けネジにより固定される取付け用基板から突設されて、前記背板に設けられた貫通孔を通って背板の正面側に突出している、家具の壁取付け構造。
【請求項２】
前記取付け用基板には、前記ジョイントピンと平行に突設されて、前記背板に設けられた貫通孔を通って背板の正面側に突出する筒状柱状体が設けられ、前記取付けネジは、前記筒状柱状体の中央貫通孔を貫通して壁面側に螺入され、前記板材には、前記ジョイントピン挿入孔と平行に、前記筒状柱状体が嵌め込まれる筒状柱状体嵌入孔が設けられている、請求項１に記載の家具の壁取付け構造。
【請求項３】
前記取付け用基板は、前記ジョイントピンが突設された一端部よりも肉厚の他端部を備え、この肉厚他端部が前記取付けネジによって壁面に取付けられる、請求項１又は２に記載の家具の壁取付け構造。
【請求項４】
前記背板と壁面との間には、前記取付け用基板の最大厚さより薄くない厚さの背板支持部材が挟まれている、請求項１〜３の何れか１項に記載の家具の壁取付け構造。
【請求項５】
前記背板は、左右２枚が互いに隣接する状態で、各背板の左右両側辺が前記板材取付け具によって壁面に取り付けられ、各背板の外側辺に位置する前記板材取付け具によって、家具の左右両側板が取り付けられ、各背板の互いに隣接する内側辺に位置する前記板材取付け具は、上下方向に位置がずらされてジグザグ状に配置されると共に、この両背板の内側辺にジグザグ状に位置する前記板材取付け具によって、板厚の厚い１枚の中間仕切り板が取り付けられている、請求項１〜４の何れか１項に記載の家具の壁取付け構造。
【発明の詳細な説明】
【技術分野】
【０００１】
本発明は、壁面にネジ止めされた背板の正面側に、例えば左右両側板などを取り付けて成る家具の壁取付け構造に関するものである。
【背景技術】
【０００２】
壁面にネジ止めされた背板の正面側に取り付けられる左右両側板などを有する家具としては、例えば特許文献１に記載のような、床面から一定高さに取り付けられる小型の収納家具から、家具の下端が床面に接する大型の収納家具まで、各種の物が知られている。このような家具では、複数本の取付けネジによって壁面所定位置に取り付けられた背板に左右両側板などを取り付ける手段として、ジョイントピンと、このジョイントピンの先端頭部に係合して、回転操作により当該ジョイントピンを引き込む回転ジョイント金具とから成る板材取付け具が使用される。この板材取付け具の前記ジョイントピンは、前記背板の正面側に突設され、前記左右両側板などには、その側面に、回転ジョイント金具が回転自在に嵌合する回転ジョイント金具嵌合孔と、前記背板に当接する端面から前記回転ジョイント金具嵌合孔に至るジョイントピン挿入孔が設けられる。
【先行技術文献】
【特許文献】
【０００３】
【特許文献１】特開２０１５−２２３４７０号公報
【発明の概要】
【発明が解決しようとする課題】
【０００４】
上記特許文献１に記載されたような従来の家具の壁取付け構造では、背板を取付けネジにより直接壁面に固定しなければならないことと、この背板に板材取付け具のジョイントピンを直接ネジ止めしなければならないことによって、背板として、家具を構成する左右両側板などの板材と少なくとも同程度の板厚のある板材を使用しなければならない。即ち、家具完成後は、当該家具の収納空間の内側面となるだけの背板でありながら、この背板を、一般的な据置き型の家具のように、薄いベニヤ板のようなもので構成することが出来ず、コスト高になっていた。又、壁面への背板の取付け手間と、背板へのジョイントピンの取付け手間とが必要であり、家具の壁取付けを能率的に行うことが出来なかった。
【課題を解決するための手段】
【０００５】
本発明は、上記のような従来の問題点を解消することのできる家具の壁取付け構造を提案するものであって、本発明に係る家具の壁取付け構造は、後述する実施例との関係を理解し易くするために、当該実施例の説明において使用した参照符号を括弧付きで付して示すと、壁面(16a)に取り付けられる背板(4a,4b)と、この背板(4a,4b)の正面側に板材取付
け具を介して取り付けられる板材（左右両側板(2a,2b)、中間仕切り板(5)）を備え、前記
板材取付け具が、ジョイントピン(11)と、このジョイントピン(11)の先端頭部(11c)に係合
して、回転操作により当該ジョイントピン(11)を引き込む回転ジョイント金具(23)とから
成り、前記ジョイントピン(11)は、前記背板(4a,4b)の正面側に突設され、前記板材には
、その側面に、回転ジョイント金具(23)が回転自在に嵌合する回転ジョイント金具嵌合孔
(22)と、前記背板(4a,4b)に当接する端面から前記回転ジョイント金具嵌合孔(22)に至る
ジョイントピン挿入孔(20)が設けられた家具の壁取付け構造において、前記ジョイントピ
ン(11)は、前記背板(4a,4b)と壁面(16a)との間に挟まれた状態で壁面(16a)に取付けネジ(
19)により固定される取付け用基板(10)から突設されて、前記背板(4a,4b)に設けられた貫
通孔(を通って背板の正面側に突出する構成になっている。
【発明の効果】
【０００６】
前記本発明の構成によれば、背板は取付けネジにより直接壁面に取り付けられるのではなく、壁面にネジ止めされる板材取付け具の取付け用基板と、家具の左右両側板などの板材との間で、挟み付けられて固定される。そして前記板材取付け具のジョイントピンは、背板に直接ネジ止めされない。即ち、背板には、壁面への取付け強度やジョイントピンのネジ止め強度を高めるために、板厚を厚くする必要が無くなり、ベニヤ板のような薄板を活用してコストを下げることが出来る。勿論、壁面にネジ止めされる前記板材取付け具の取付け用基板からジョイントピンが突設されていることと、そのジョイントピンが背板を貫通していることによって、壁面に対する背板の固定位置や、この背板に対するジョイントピンの取付け位置が不安定になることが無く、精度良く家具を組み立てると同時に壁面に取り付けることが出来る。更に、ネジ止め作業としては、壁面に対する前記板材取付け具の取付け用基板の取付けのみとなり、作業能率を大幅に高めることが出来る。
【０００７】
上記本発明を実施する場合、前記取付け用基板(10)には、前記ジョイントピン(11)と平
行に突設されて、前記背板に設けられた貫通孔(14)を通って背板(4a,4b)の正面側に突出
する筒状柱状体(12)を設け、前記取付けネジ(19)は、前記筒状柱状体(12)の中央貫通孔(1
2a)を貫通して壁面(16a)側に螺入させるようにし、前記板材には、前記ジョイントピン挿
入孔(20)と平行に、前記筒状柱状体(12)が嵌め込まれる筒状柱状体嵌入孔(21)を設けてお
くことが出来る。この構成によれば、背板の背面側で前記取付け用基板を壁面にネジ止めしなければならない場合と比較して、前記取付け用基板を薄くしても十分な取付け強度を得ることが出来るだけでなく、前記取付け用基板から突設された筒状柱状体とジョイントピンの２本を背板に貫通させて、背板に対する前記取付け用基板の位置と向きを確定させた状態で、背板の外側から、背板の内側の前記取付け用基板を壁面にネジ止めすることが出来る。従って、前記取付け用基板を壁面にネジ止めした後に、背板を前記取付け用基板の外側に、背板のジョイントピン挿入孔に前記取付け用基板から突出するジョイントピンが嵌まり込むように配置しなければならない場合と比較して、作業を容易且つ能率的に行える。
【０００８】
又、前記取付け用基板(10)は、前記ジョイントピン(11)が突設された一端部(10a)より
も肉厚の他端部(10b)を備えた構造とし、この肉厚他端部(10b)が前記取付けネジ(19)によ
って壁面に取付けられるように構成するのが望ましい。この構成によれば、前記取付け用基板を、全域にわたって同一厚さの板材から構成している場合と比較して、ジョイントピンが突設された一端部が、壁面又は背板の少なくとも何れか一方に対して遠近方向に撓み変形出来るので、壁面の平滑精度がある程度悪くとも、背板を垂直平面に沿うように確実強固に固定することが出来る。
【０００９】
又、前記背板(4a,4b)と壁面(16a)との間には、前記取付け用基板(10)の最大厚さより薄
くない厚さの背板支持部材(15)を挟んでおくことが出来る。この背板支持部材としては、
前記取付け用基板の最大厚さより少し厚めの弾性材（例えばスポンジ材）を使用するのが好ましい。又、板材取付け具の取付け用基板が当接する部分を除く背板のほぼ全面にシート状の背板支持部材を配置することも出来るが、適当巾の帯状の背板支持部材を使用し、この帯状の背板支持部材を、板材取付け具の取付け用基板が当接する背板の側辺や、背板の両側辺間の中間適当位置に配置することが出来る。何れにしても背板支持部材は、背板の背面に粘着テープなどにより予め貼付しておくのが望ましい。
【００１０】
更に、壁面に取り付けられる家具の左右横巾が大きくて、棚板が架設される収納空間を中間仕切り板により左右に二分する必要のある家具の場合には、前記背板(4a,4b)は、左
右２枚が互いに隣接する状態で、各背板(4a,4b)の左右両側辺が前記板材取付け具によって
壁面に取り付けられ、各背板(4a,4b)の外側辺に位置する前記板材取付け具によって、家
具の左右両側板(2a,2b)が取り付けられ、各背板(4a,4b)の互いに隣接する内側辺に位置す
る前記板材取付け具は、上下方向に位置がずらされてジグザグ状に配置されると共に、この両背板(4a,4b)の内側辺にジグザグ状に位置する前記板材取付け具によって、板厚の厚
い１枚の中間仕切り板(5)が取り付けられる構成とするのが望ましい。この構成によれば、使用時の荷重負担が大きくなるために板厚が厚くなる中間仕切り板を、２枚の背板の互いに隣接する内側辺に配置された前記板材取付け具によって、両背板の内側辺それぞれと共に、強固に固定することが出来るのであるが、２枚の背板の互いに隣接する内側辺に配置された前記板材取付け具が互いに左右横方向に隣接している場合と比較して、中間仕切り板の板厚を必要最小限に抑えることが出来る。
【図面の簡単な説明】
【００１１】
【図１】図１Ａは、壁付け家具の一例を示す斜視図、図１Ｂは、同壁付け家具の開閉扉を省いた正面図、図１Ｃは、同壁付け家具の縦断側面図である。
【図２】図２は、本発明の実施例において使用される板材取付け具の斜視図である。
【図３】図３Ａは、同上板材取付け具の平面図、図３Ｂは、同上板材取付け具の左側面図、図３Ｃは、同上板材取付け具の正面図、図３Ｄは、図３ＡのＸ-Ｘ線断面図、図３Ｅは、図３ＣのＹ−Ｙ線断面図である。
【図４】図４は、本発明の実施例において使用される左右２枚の背板の背面図である。
【図５】図５Ａは、前記背板の１か所の板材取付け具配置箇所を示す拡大正面図、図５Ｂは、図５Ａの縦断側面図である。
【図６】図６は、背板に対する左側板上部の取付け構造を示す縦断右側面図である。
【図７】図７は、背板に対する左右両側板と中間仕切り板の取付け構造を示す要部の横断平面図である。
【図８】図８は、背板の外側辺に対する側板の取付け手順の第一段階を示す要部の横断平面図である。
【図９】図９Ａは、同上第二段階を示す要部の横断平面図、図９Ｂは、同上第三段階を示す要部の横断平面図である。
【図１０】図１０は、背板の外側辺に対する側板の取付け完了時の状態を示す要部の縦断側面図である。
【図１１】図１１Ａは、右側背板の内側辺に取り付けられた板材取付け具を示す要部の横断平面図、図１１Ｂは、左側背板の内側辺に取り付けられた板材取付け具を示す要部の横断平面図、図１１Ｃは、左側背板の内側辺に取り付けられる中間仕切り板の筒状柱状体嵌入孔を示す要部の横断平面図、図１１Ｄは、左側背板の内側辺に取り付けられる中間仕切り板の筒状柱状体嵌入孔と回転ジョイント金具を示す要部の横断平面図である。
【発明を実施するための形態】
【００１２】
図１に示す壁付け収納家具１は、左右両側板２ａ，２ｂと天井板３、これらによって囲まれた収納空間の背面を閉じる左右２枚の背板４ａ，４ｂ、左右両側板２ａ，２ｂ間に架設され且つ中央を中間仕切り板５によって支持される固定棚板６、左右両側板２ａ，２ｂと中間仕切り板５との間に高さ変更自在に架設される複数枚の可動棚板７、及び前記収納空間の正面側を開閉自在に閉じる左右一対の折れ戸８ａ，８ｂから構成されている。各折れ戸８ａ，８ｂは従来周知のものであるから、構造の説明は省略する。
【００１３】
本発明は、上記のような壁付け収納家具１における背板４ａ，４ｂの壁面への取付けと、この背板４ａ，４ｂの左右両外側辺の正面側に対する左右両側板２ａ，２ｂの取付け、及び背板４ａ，４ｂの互いに隣接する左右両内側辺の正面側に対する中間仕切り板５の取付けに適用されている。天井板３や固定棚板６、及び各可動棚板７の取付け構造としては、従来周知の取付け構造が適用されるので、説明は省略する。
【００１４】
図２及び図３は、本発明の実施例において使用される板材取付け具の、背板側に取り付けられるユニット９を示している。このユニット９は、長方形状の取付け用基板１０と、この取付け用基板１０の一端部の表面上に当該取付け用基板１０と一体に突設したジョイントピン１１、及び取付け用基板１０の他端部の表面上に当該取付け用基板１０と一体に突設した筒状柱状体１２から構成されている。取付け用基板１０は、その平坦な表面上の長手方向に沿った中心線上にジョイントピン１１と筒状柱状体１２が突設されており、ジョイントピン１１が先端近傍に突設されている矩形の一端側大領域１０ａの底面は、筒状柱状体１２が中央位置に突設されている矩形の他端側小領域１０ｂの底面に対して平坦な表面側に凹入して、一端側大領域１０ａの板厚が他端側小領域１０ｂの板厚よりも薄くなっている。筒状柱状体１２の中央貫通孔１２ａは、この筒状柱状体１２の先端面から取付け用基板１０の底面にわたって貫通するもので、筒状柱状体１２の先端面側の開口端は、使用される取付けネジの皿形頭部が入り込むように、円錐状に座ぐりされている。
【００１５】
ジョイントピン１１は、大径円柱状部１１ａの先端に、細くなった首部１１ｂを介して、大径円柱状部１１ａと略同一径の頭部１１ｃが形成されたもので、前記首部１１ｂは、一般に知られている家具組立て用ジョイントのジョイントピンが有する首部、即ち、大径円柱状部１１ａと同心状の小径円柱状首部ではなく、図３Ｅに示すように横断面形状が、大径円柱状部１１ａの軸心位置から、当該大径円柱状部１１ａの筒状柱状体１２のある側の周面位置に達する、横長形状となっている。これは、使用状態におけるジョイントピン１２の軸方向から見たときの向きが一定になるところから、使用時に支障のない方向に横長の横断面形状にして、強度を高めるためである。尚、肉厚になっている他端側小領域１０ｂには、その底面側に切欠凹部を形成して、材料節減と、成形時の歪発生を抑えている。
【００１６】
２枚の背板４ａ，４ｂは、ベニヤ板などの薄板から成るもので、図４に示すように、その左右両側辺には、上記板材取付け具のユニット９が配置される。具体的には、両背板４ａ，４ｂの互いに隣接する内側辺に対して反対側の外側辺には、その上下端位置と中間等間隔の複数位置（図示例では夫々５か所）に前記ユニット９が配置され、両背板４ａ，４ｂの互いに隣接する内側辺には、図１に示した固定棚板６の取付け高さの直下の位置と下端位置、及びこの上下両位置間の等間隔の偶数位置（図示例では２か所で、合計４か所）に配置される前記ユニット９を、上下両端のユニット９が各背板４ａ，４ｂに振り分けられるように、左右交互ジグザグ状に配置される。この背板４ａ，４ｂの各ユニット配置位置には、ジョイントピン１１が背板４ａ，４ｂの背面側から挿通される貫通孔１３と、筒状柱状体１２が背板４ａ，４ｂの背面側から挿通される貫通孔１４とが、これら両孔を結ぶ方向が背板４ａ，４ｂの左右両側辺と平行になるように穿設されている。又、図示例では、ジョイント１１が挿通される貫通孔１３の下側に筒状柱状体１２が挿通される貫通孔１４が位置しているが、逆であっても良い。
【００１７】
図１及び図５Ａの仮想線で示すように、左右両側板２ａ，２ｂは、背板４ａ，４ｂの左右両外側辺の正面側に後側端面が重なるように、そして左右両側板２ａ，２ｂから外側に背板４ａ，４ｂの左右両外側辺が突出しないように、取り付けられるものであり、左右両側板２ａ，２ｂよりも板厚の厚い中間仕切り板５は、その板厚の中心が背板４ａ，４ｂの互いに隣接する内側辺と一致するように、背板４ａ，４ｂの左右両内側辺の正面側に後側端面が重なるように取り付けられるものである。従って、背板４ａ，４ｂの左右両外側辺の貫通孔１３，１４は、上記のように取り付けられる左右両側板２ａ，２ｂの板厚内で、当該板厚の中心位置より内側（中間仕切り板５のある側）に寄った位置に穿設されており、背板４ａ，４ｂの互いに隣接する左右両内側辺の貫通孔１３，１４の内、背板４ａ側の貫通孔１３，１４は、上記のように取り付けられる中間仕切り板５の後側端面の背板４ａ側の半分の領域内に位置するように穿設され、背板４ｂ側の貫通孔１３，１４は、上記のように取り付けられる中間仕切り板５の後側端面の背板４ｂ側の半分の領域内に位置するように穿設されている。
【００１８】
上記のように配置される各ユニット９は、ジョイントピン１１を貫通孔１３に挿通させると共に筒状柱状体１２を貫通孔１４に挿通させるように、取付け用基板１０を背板４ａ，４ｂの背面に当接させるが、この状態で背板４ａ，４ｂを容易に取り扱えるように、取付け用基板１０を両面粘着テープなどにより背板４ａ，４ｂの背面に固定するか又は、筒状柱状体１２を、取付け用基板１０側の端部直径より先端部直径を若干小さくすると共に、貫通孔１４の内径を、筒状柱状体１２の取付け用基板１０側の端部直径と同一か又は若干小さくして、この貫通孔１４に筒状柱状体１２を圧入したときの貫通孔１４と筒状柱状体１２との間の摩擦抵抗により、ユニット９が背板４ａ，４ｂ固定されるように構成するのが望ましい。
【００１９】
上記のように各背板４ａ，４ｂの背面側にユニット９を配置したとき、各背板４ａ，４ｂの背面より取付け用基板１０が突出しているので、図４に示すように、背板４ａ，４ｂの背面に対する取付け用基板１０の最大突出量、即ち、取付け用基板１０の他端側小領域１０ｂの厚さより薄くない、適当巾の帯状背板支持部材１５を、各背板４ａ，４ｂの背面周囲や中間適当箇所に、ユニット９の取付け用基板１０を避けて貼付している。この帯状背板支持部材１５として、スポンジ材などの適度の弾性のある弾性材製のものを使用するときは、その厚さは、取付け用基板１０の他端側小領域１０ｂの厚さより厚くして、背板取付け時に圧縮されるように構成するのが望ましい。尚、図４及び図５Ａの仮想線で示すように、背板４ａ，４ｂの互いに隣接する内側辺に配置されるユニット９の取付け用基板１０は、両側の背板４ａ，４ｂに跨ることになるので、これら背板４ａ，４ｂの内側辺の背面に貼付される帯状背板支持部材１５を、両方とも、ユニット９の取付け用基板１０の位置で分断している。しかしながら、取付け用基板１０の巾や帯状背板支持部材１５の貼付位置によっては、取付け用基板１０の側辺に帯状背板支持部材１５が重なる状況になるのを無くすことが出来るので、このように構成して、背板４ａ（又は背板４ｂ）に貼付される帯状背板支持部材１５は、同じ背板４ａ（又は背板４ｂ）に配置されるユニット９の取付け用基板１０のみを避けるように分断させることが出来る。
【００２０】
壁付け収納家具１を床面上に設置する場所には、図６及び図７に示すように、当該壁付け収納家具１が丁度嵌まり込む大きさの凹入空間が、背面壁１６、左右両側壁１７ａ，１７ｂ、及び天井壁１８によって形成されているので、以上のように、所定位置にユニット９を配置すると共に背面の所定の箇所に帯状背板支持部材１５を貼付した背板４ａ，４ｂは、その２枚を左右横方向に互いに隣接させて、背面壁１６の壁面１６ａに張り付けるように配置する。この結果、全てのユニット９の取付け用基板１０は、壁面１６ａと背板４ａ，４ｂとの間に挟み付けられるので、この状態で背板４ａ，４ｂの表面側に突出している各ユニット９の筒状柱状体１２の中央貫通孔１２ａをガイドにして取付けネジ１９を壁面１６ａに打ち込むことにより、背板４ａ，４ｂを背面壁１６の壁面１６ａに固着する。尚、背面壁１６の壁面１６ａは石膏ボード１６ｂによって形成されており、取付けネジ１９が打ち込まれる箇所の石膏ボード１６ｂの裏側には、適当厚さの合板１６ｃが配置され、取付けネジ１９は、この合板１６ｃを貫通し得る程度の長さを有する。
【００２１】
上記のように背板４ａ，４ｂを背面壁１６の壁面１６ａに固着したならば、左右両側板２ａ，２ｂと中間仕切り板５を取り付ける。図８〜図１０に示すように、左右両側板２ａ，２ｂには、背板４ａ，４ｂの左右両外側辺から突出している各ユニット９のジョイントピン１１が挿入されるジョイントピン挿入孔２０と、筒状柱状体１２が嵌まり込む筒状柱状体嵌入孔２１とが、後側端面から水平に刻設され、ジョイントピン挿入孔２０の内端には、回転ジョイント金具嵌合孔２２が、ジョイントピン挿入孔２０と連通するように、左右両側板２ａ，２ｂの内側面（中間仕切り板５に対面する側面）から刻設され、この回転ジョイント金具嵌合孔２２内に回転ジョイント金具２３が自転可能に嵌合せしめられている。この回転ジョイント金具２３は、従来周知のものであって、左右両側板２ａ，２ｂの内側からドライバーなどにより回転操作出来るものであって、ジョイントピン挿入孔２０からこの回転ジョイント金具２３内にジョイントピン１１の頭部１１ｃが入り込んだ状態でこの回転ジョイント金具２３を所定の方向に回転操作することにより、頭部１１ｃを介してジョイントピン１１を引き込むカムを内蔵している。
【００２２】
尚、この実施例の左右両側板２ａ，２ｂは、図７に示すように、左右両側壁１７ａ，１７ｂの壁面から突出する突条部１７ｃ，１７ｄに内側から横向きに嵌合する嵌合部を備えるものであるから、この左右両側板２ａ，２ｂは、図８に示すように、その後側端面を背板４ａ，４ｂの表面に当接させた状態で横方向にスライドさせて、背板４ａ，４ｂの外側辺位置に配置するようになっている。従って、この左右両側板２ａ，２ｂの後側端面から穿設された前記ジョイントピン挿入孔２０と筒状柱状体嵌入孔２１には、図８に示すように、これらジョイントピン挿入孔２０と筒状柱状体嵌入孔２１から水平横向きに連設されて、左右両側板２ａ，２ｂの外側面（中間仕切り板５に対面する側とは反対側の側面）に開放された導入路２０ａ，２１ａが併設されている。従って、左右両側板２ａ，２ｂを、その後側端面を背板４ａ，４ｂの表面に当接させた状態で、床面上で外向きに水平にスライドさせることにより、図９に示すように、ジョイントピン挿入孔２０と筒状柱状体嵌入孔２１内に、夫々の導入路２０ａ，２１ａを経由させて、背板４ａ，４ｂの外側辺から突出している各ユニット９のジョイントピン１１及び筒状柱状体１２を所定位置まで挿入することが出来る。この後は、従来周知のように、各ユニット９と対をなす回転ジョイント金具２３を、左右両側板２ａ，２ｂの内側から回転操作して、図１０に示すように、各ユニット９のジョイントピン１１に対する引込み反力で、左右両側板２ａ，２ｂの後側端面を背板４ａ，４ｂの外側辺の表面に圧接させて、これら左右両側板２ａ，２ｂを背板４ａ，４ｂに直角向きに固定することが出来る。
【００２３】
中間仕切り板５には、図１１に示すように、背板４ａ，４ｂの互いに隣接する内側辺に沿って上下方向ジグザグ状に配置されている各ユニット９のジョイントピン１１と筒状柱状体１２に対応するように、後側端面からジョイントピン挿入孔２０と筒状柱状体嵌入孔２１が穿設され、背板４ａ側に寄った位置にあるジョイントピン挿入孔２０の内端と連通する回転ジョイント金具嵌合孔２２は、中間仕切り板５の背板４ａ側の側面から刻設され、背板４ｂ側に寄った位置にあるジョイントピン挿入孔２０の内端と連通する回転ジョイント金具嵌合孔２２は、中間仕切り板５の背板４ｂ側の側面から刻設される。この中間仕切り板５は、背板４ａ，４ｂの互いに隣接する内側辺に向かって床面上で水平にスライドさせるだけで、各ユニット９のジョイントピン１１と筒状柱状体１２を、対応するジョイントピン挿入孔２０と筒状柱状体嵌入孔２１に挿入することが出来るので、左右両側板２ａ，２ｂに併設したような導入路２０ａ，２１ａは不要である。中間仕切り板５を所定位置に配置して、各ユニット９のジョイントピン１１と筒状柱状体１２を、対応するジョイントピン挿入孔２０と筒状柱状体嵌入孔２１に挿入したならば、回転ジョイント金具嵌合孔２２に嵌合されている回転ジョイント金具２３を、この中間仕切り板５の左右両側から回転操作することにより、左右両側板２ａ，２ｂと同様に中間仕切り板５を、背板４ａ，４ｂの互いに隣接する内側辺と重なる位置に固定することが出来る。
【００２４】
以上のようにして、壁面１６ａに固着した背板４ａ，４ｂに対して、左右両側板２ａ，２ｂと中間仕切り板５を固定したならば、左右両側板２ａ，２ｂの上端内側に嵌まり込む天井板３や、中間仕切り板５で支持された状態で左右両側板２ａ，２ｂ間に水平に嵌め込まれる固定棚板６を取り付け、必要に応じて可動棚板７を架設することにより、壁付け収納家具１が完成する。尚、天井板３や固定棚板６の取付け方法は特に限定されるものではなく、採用可能な種々の方法、例えばジョイントピンと回転ジョイント金具から成る従来周知の板材取付け具を利用して、取り付けることが出来る。
【００２５】
又、２枚の背板４ａ，４ｂを並設し、その互いに隣接する内側辺に重なるように中間仕切り板５を配設した構成の壁付け収納家具１について説明したが、背板と左右両側板を備えた構成であれば、如何なる構造の壁付け収納家具であっても良い。又、本発明の家具の壁取付け構造は、背板に対する天井板や棚板の取り付けにも適用出来る。更に、基本的には、板材取付け具としては、取付け用基板１０から突設されたジョイントピン１１と、回転ジョイント金具２３とからものであって、筒状柱状体１２の無い構造であっても良い。この場合、背板４ａ，４ｂに設けられたジョイントピンの貫通孔１３に対してジョイントピン１１が正確に位置決めされるように、取付け用基板１０を先に壁面１６ａの所定位置に精度良く取付けネジ１９で固定することも考えられるが、取付け用基板１０を背板４ａ，４ｂの背面に粘着テープなどにより貼付すると共に、取付け用基板１０に設けられた取付け孔と合致するように背板４ａ，４ｂに、取付けネジ１９が挿通される貫通孔、又は取付けネジ１９の頭部よりも大きな内径のばか孔を設けておけば、上記実施例と殆ど変りなく取付け作業が行える。勿論、上記実施例のような筒状柱状体１２を設けておけば、背板４ａ，４ｂに対して取付け用基板１０の取付け位置や向きを正確に決めることが容易であるだけでなく、取付けネジ１９を、板厚の薄い背板４ａ，４ｂに対して正確に直角向きに打ち込むことが出来る。
【産業上の利用可能性】
【００２６】
本発明の家具の壁取付け構造は、背板を介して壁面に取り付けられる家具の壁取付け構造として活用出来る。
【符号の説明】
【００２７】
１    壁付け収納家具
２ａ，２ｂ    左右両側板
３    天井板
４ａ，４ｂ    背板
５    中間仕切り板
６    固定棚板
７    可動棚板
８ａ，８ｂ    折れ戸
９    ユニット
１０    取付け用基板
１０ａ    一端側大領域
１０ｂ    他端側小領域
１１    ジョイントピン
１１ａ    大径円柱状部
１１ｂ    首部
１１ｃ    頭部
１２    筒状柱状体
１２ａ    中央貫通孔
１３    ジョイントピンの貫通孔
１４    筒状柱状体の貫通孔
１５    帯状背板支持部材
１６    背面壁
１６ａ    壁面
１６ｂ    石膏ボード
１６ｃ    合板
１７ａ，１７ｂ    左右両側壁
１７ｃ，１７ｄ    突条部
１８    天井壁
１９    取付けネジ
２０    ジョイントピン挿入孔
２０ａ，２１ａ    導入路
２１    筒状柱状体嵌入孔
２２    回転ジョイント金具嵌合孔
２３    回転ジョイント金具
【図１】
2017136277.tif 000003
【図２】
2017136277.tif 000004
【図３】
2017136277.tif 000005
【図４】
2017136277.tif 000006
【図５】
2017136277.tif 000007
【図６】
2017136277.tif 000008
【図７】
2017136277.tif 000009
【図８】
2017136277.tif 000010
【図９】
2017136277.tif 000011
【図１０】
2017136277.tif 000012
【図１１】
2017136277.tif 000013